(57)【要約】      （修正有）【課題】植物油は、使用することにより酸化され劣化するため油の交換時期が早まり、植物油の使用量が増えるので、植物油の酸化を還元し活性化させることで、植物油の使用量を削減する装置を提供する。【解決手段】使用済み植物油をろ過器１で不純物を取り除き還元活性化装置４（マグネットプレート）の上に油入れ容器２ごとのせ、容器内の油を４〜５回攪拌し、マグネット５の磁気により、使用することにより酸化され劣化した植物油を還元活性化する。尚、攪拌回数を増やすことにより還元活性化がさらに進み未使用植物油のエネルギーに限りなく近づけることもできる。活性化した植物油３を使用するときは、揚げる温度を５〜１０℃下げることができるため熱エネルギー削減もできる。【選択図】図１
0003154433.tif 000002
【実用新案登録請求の範囲】
【請求項１】
使用済み植物油を還元活性化する為に、中心から等間隔で放射状にＮ極、Ｓ極を交互に組み込んだマグネット配列で出来たマグネットプレートと使用済み植物油の不純物を取り除く為のろ過器と油入れ容器からなる構造の植物油還元活性化装置
【請求項２】
前記内容のマグネットプレートで、マグネットの配列が二重以上の配列構造を特徴とする植物油還元活性化装置
【考案の詳細な説明】
【技術分野】
【０００１】  本考案は、使用することで酸化されエネルギーの低下をまねいた油を不純物を取り除き複数のマグネットの磁気により還元しエネルギーの復元を図る還元活性化装置。
【背景技術】
【０００２】  従来、外食産業で毎日使用するてんぷら油、フライヤー等の油は、酸化により劣化し商品価値が落ちるので３〜４日で交換していることが多いので、油の消費量が多かった。
【考案の開示】
【考案が解決しようとする課題】
【０００３】  酸化された植物油のエネルギーを復元し、未使用の植物油のエネルギーを取りもどし商品価値を上げると共に油の交換時期を延ばし油の消費量を削減する。
【課題を解決する為の手段】
【０００４】  酸化された植物油をろ過装置で不純物を取り除いた油を複数のマグネットの磁気により還元活性化する。
【考案の効果】
【０００５】  本考案の効果は、新しい植物油（Ａ）、使用済み植物油を磁気により活性化した植物油（Ｂ）、磁気処理されていない使用済み植物油（Ｃ）の３種類を同条件下で燃焼比較をし数値による効果確認をする。結果は、下記の通りである。
Ａ（新しい植物油）、Ｂ（使用済み油を磁気により活性化した植物油）、Ｃ（磁気処理されていない使用済み植物油）
植物油（てんぷら油）ビーカー水量（２００ｃｃ）、ｈ（ランプの芯の高さ）
0003154433.tif 000003
【考案を実施する為の最良の形態】
【０００６】  本考案を実施する為の形態は、使用中の植物油をろ過器で不純物を取り除き容器のまま、複数のマグネットが組み込まれたマグネットプレートの上におき磁気によって、酸化された植物油を還元し未使用の植物油まで、エネルギーを復元し植物油の延命を図る。尚、装置に組み込まれている複数のマグネットの構造は、Ｎ極、Ｓ極交互に配列され二重以上の配置になっている為、植物油への磁力線の影響が大きく再生活性化効率を向上させている。
【実施例】
【０００７】  某コンビニに設置されているフラーヤーの植物油の還元活性化装置として、マグネットプレート、ろ過器、油入れ容器を設置し図１の如き使用済みで酸化された植物油を▲１▼のろ過器で不純物を取り除き▲２▼の油入れ容器に▲３▼の植物油を溜め▲４▼のマグネットプレートの上に置き植物油を４〜５回攪拌し、▲５▼のマグネットの磁気により▲３▼の植物油を還元活性化し未使用の植物油の持っているエネルギーに限りなく近づけ復元を図っている。結果、３〜４日だった植物油の交換期間が、還元活性化装置設置後は、７〜８日の交換で済み商品の品質も以前と比べ同等以上で好評である。
【産業上の利用可能性】
【０００８】  本考案は、使用中植物油の延命装置としての活用はもとよりマグネットの磁気の活用により鉱物油の活性化、磁気空間に生鮮食品等を入れ酸化を押さえ鮮度の維持と保存を図る等冷却技術と併用し食料品の保存技術を向上させる等利用可能な分野は、多義にわたる。
【図面の簡単な説明】
【０００９】
【図１】  使用済み植物油の還元活性化装置図
【符号の説明】
【００１０】  ▲１▼‥‥‥‥‥‥‥‥ろ過器
▲２▼‥‥‥‥‥‥‥‥油入れ容器
▲３▼‥‥‥‥‥‥‥‥植物油
▲４▼‥‥‥‥‥‥‥‥マグネットプレート
▲５▼‥‥‥‥‥‥‥‥マグネット
【図１】
0003154433.tif 000004
【手続補正書】
【提出日】平成21年7月13日(2009.7.13)
【手続補正１】
【補正対象書類名】実用新案登録請求の範囲
【補正対象項目名】全文
【補正方法】変更
【補正の内容】
【実用新案登録請求の範囲】
【請求項１】
使用済み廃植油を活性化する為に、マグネットを中心から等間隔で放射状に、Ｎ極、Ｓ極を交互に組み込み、二重以上の配列のマグネットホルダー板を上ケースと底板で挟みこんだ構造の還元活性化装置。
【手続補正２】
【補正対象書類名】明細書
【補正対象項目名】０００１
【補正方法】変更
【補正の内容】
【０００１】  本考案は、使用することで、酸化されエネルギーの低下をまねいた油を複数のマグネットの磁気により還元しエネルギーの復元を図る、還元活性化装置。
【手続補正３】
【補正対象書類名】明細書
【補正対象項目名】０００４
【補正方法】変更
【補正の内容】
【０００４】  酸化かれた植物油を複数のマグネットの磁気により還元活性化する。
【手続補正４】
【補正対象書類名】明細書
【補正対象項目名】０００６
【補正方法】変更
【補正の内容】
【０００６】  本考案を実施する為の最良の形態は、使用中の植物油の入った容器のまま、複数のマグネットが組み込まれた還元活性化装置の上に置き、磁気によって酸化された植物油を還元し、未使用の植物油まで、エネルギーを復元し植物油の延命を図る。尚、装置に組み込まれている複数のマグネットは、Ｎ極、Ｓ極を交互に配列され二重以上の配置になっている為、植物油への磁気の影響が大きく還元活性化効率を向上させている。
【手続補正５】
【補正対象書類名】明細書
【補正対象項目名】０００７
【補正方法】変更
【補正の内容】
【０００７】  某、コンビニに設置されているフライヤーの還元活性化装置として▲１▼のマグネットホルダーに▲２▼のマグネットをＮ極、Ｓ極を交互にはめ込み▲３▼の上ケースと▲４▼の底板の間に挟み込んだ構造の▲５▼の還元活性化装置の上に使用済み植物油を容器に入れたまま設置し、４〜５回油を攪拌し▲２▼のマグネットの磁気により還元活性化し、未使用の植物油の持っているエネルギーに限りなく近づけ、復元を図っている、結果、３〜４日で交換していた植物油の交換時期が、７〜８日と延びている。尚、から揚げ等の商品の品質も以前と比べ、中はジューシーで、外側はパリッと揚り好評である。
【手続補正６】
【補正対象書類名】明細書
【補正対象項目名】００１０
【補正方法】変更
【補正の内容】
【００１０】▲１▼  …………  マグネットホルダー板
▲２▼  …………  マグネット
▲３▼  …………  上ケース
▲４▼  …………  底板
▲５▼  …………  還元活性化装置
【手続補正７】
【補正対象書類名】図面
【補正対象項目名】全図
【補正方法】変更
【補正の内容】
【図１】
0003154433.tif 000005